Podtech/llm-jp-corpus-v4-ja_patent huggingface dataset:
(57)【要約】【課題】  現在のカッターシャツ等の衿や袖は汗ジミ等で汚れやすく、一度汚れてしまうと洗濯しても汚れが落ちないが、汗を吸収するやわらかメッシュシートを衿や袖部分へ貼る事により、汗を吸収すると同時に汚れも防止出来るやわらかメッシュシートにする。【解決手段】  汗を吸収するやわらかメッシュシートの片面側へビニール製の防水層を付け、又、その防水層の面へ接着テープを加工し、カッターシャツ等の衿や袖部分へ取りつける。【選択図】図２
2012082563.tif 000002
【特許請求の範囲】
【請求項１】
吸水シートの片面側へ接着テープを加工し、カッターシャツの衿、袖部分へ適度な長さにハサミで切って取り付け、汗ジミ汚れを防止する吸水シート。
【発明の詳細な説明】
【発明の詳細な説明】
【技術分野】
【０００１】  本発明は、現在のカッターシャツ等の衿や袖がついている形状の服であればほとんどの製品へ簡単に取りつけが出来るようにした、吸水シートである。
【背景技術】
【０００２】  従来のカッターシャツ等は、何度も着るうちに衿や袖へ汗ジミ等の汚れが付いてしまい洗濯洗剤（衿、袖専用の部分洗剤）で洗っても汚れが落ちない。
【発明を実施するための形態】
【０００３】  本発明は、現在のカッターシャツ等の衿や袖の部分へ誰でも簡単に最適な長さで取りつけが出来る。又、使用後は簡単に取り外す事が出来ると、同時に衿や袖部分の汚れを防止出来る吸水シートを取りつけた説明が図１である。
【発明の効果】
【０００４】  このようにすれば、現在のカッターシャツ等の衿や袖の部分への取り付けが可能となる。又、長いロール状にする事により、全ての規格サイズに対して使用が出来るので便利である。
【図面の簡単な説明】
【図１】カッターシャツの衿と袖部分へ吸水シートを取りつけた図である。
【図２】吸水シートの図である。
【図３】吸水シートのテープ側のハクリ紙を剥がした図である。
【符号の説明】１  吸水層
２  接着テープ
３  防水層シート
【図１】
2012082563.tif 000003
【図２】
2012082563.tif 000004
【図３】
2012082563.tif 000005
(57)【要約】      （修正有）【課題】ウェットスーツ着用時に、体幹力を向上させる為、体の腰部分をゴムバンドにより固定させる。【解決手段】ウェットスーツ１を製造段階で腰部になる箇所に中心軸３を取付け、中心軸３の両脇にゴムバンド２を片側に２本取付ける。片側２本のゴムバンドをＶ字型に交じわせ、その交わる箇所にマジックテープ（登録商標）凸を取付ける。これに対しウェットスーツ１の両脇腰部分にマジックテープ凹を取付け、ウェットスーツ１着用時にゴムバンド２を腰を中心として両脇に引張りマジックテープ凹とマジックテープ凸を使用してウェットスーツの脇腹に留め、ゴムバンド２の力によって人体の腰をある程度の力で固定する。【選択図】図１
2012082561.tif 000002
【特許請求の範囲】
【請求項１】
ウェットスーツの腰部分にゴムバンドを取付け、これを腰から両脇へ、そのゴムバンドを引張った状態で先端を左右両腹部に固定できるようにする。
【請求項２】
ゴムバンドには色を変えたりデザインを施す事ができる。
【発明の詳細な説明】
【技術分野】
【０００１】  本発明は、サーフィンなどで使用するウェットスーツに着用時に体幹力を向上させる機能をもたせたものでウェットスーツに関するものである。
【背景技術】
【０００２】  従来、ウェットスーツは海に入る時の保温性、柔らかい生地による運動性、そして着脱方法の快適さを追求されていた。
【特許文献１】  特許公表２００３−５３２０２５６
【発明の開示】
【発明が解決しようとする課題】
【０００３】  従来のウェットスーツに体幹力向上の機能を持たせる為、人体の腰部分をある程度の力で固定したいと考える。
【課題を解決するための手段】
【０００４】  ウェットスーツ本体（１）の腰部分に中心軸（３）を縫製などにより取付、中心軸（３）の両脇にゴムバンド（２）を２本取付け、２本のゴムバンド（２）をＶ字型に交じわせ、その交わる箇所にマジックテープ凸（５）を縫付ける。【０００５】  これに対しウェットスーツ（１）の脇腹部分にマジックテープ凹（４）を取付け、ウェットスーツ（１）着用時にゴムバンド（２）を引張りマジックテープ凹（４）とマジックテープ凸（５）を利用して、脇腹で留める。【０００６】  本発明は、以上の構成より成る体幹力向上ウェットスーツである。
【発明の効果】
【０００７】  サーフィンなどスポーツをする際、ウェットスーツに腰部分をある程度の力で固定する事により人体のバランスの向上、体幹力の向上、また腰痛の緩和などの効果が得られる。
【発明を実施するための最良の形態】
【０００８】  以下、本発明の形態を説明する。【０００９】  ウェットスーツの製造過程で、ウェットスーツ（１）の腰部分に中心軸（３）を取付ける。【００１０】  中心軸（３）の両脇にゴムバンド（２）を取付け、その先にマジックテープ凸（５）を取付ける。【００１１】  ウェットスーツ（１）の両脇部にマジックテープ凹（４）を取付ける。【００１２】  本発明は以上の構成より成る。
【実施例】
【００１３】  ウェットスーツを着用した後、腰部分に取付けたゴムバンドを両脇へ引張ってウェットスーツの両脇腹へマジックテープにより固定する。【００１４】  これにより人体の腰を、ある程度の力で固定することができ、人体の体幹力を向上させる事ができる。
【産業上の利用の可能性】
【００１５】  ある程度の力で腰を固定する事により体幹力の向上につながるので、サーフィンだけに限らずウェットスーツを着用するスポーツ全般に流用する事ができる。
【図面の簡単な説明】
【００１６】
【図１】  本発明の使用時の後方斜視図
【図２】  ウェットスーツを着用した状態でベルトを外した状態の斜視図
【図３】  本発明の使用時の正面図
【図４】  ウェットスーツを着用した状態でベルトを外した状態の正面図
【符号の説明】
【００１７】  （１）ウェットスーツ  （２）ゴムベルト  （３）中心軸  （４）マジックテープ凹  （５）マジックテープ凸
【図１】
2012082561.tif 000003
【図２】
2012082561.tif 000004
【図３】
2012082561.tif 000005
【図４】
2012082561.tif 000006
(57)【要約】【課題】  見栄え及び装着感に優れたブラジャーを提供する。【解決手段】  ブラジャーのカップ２の中央に、断面略Ｕ字形で内側に乳首を収納できる大きさの乳首様の模擬乳首カップ３を、その底部を外面側に突出させ、開口を乳房側に開口させた状態で一体に結合してカップを構成し、このようなカップの一対を紐のような連結部材を介して一体に結合してブラジャーを構成し、カップの内側に開口した模擬乳首カップ３、３に乳首を挿入した状態でブラジャーを装着する。【選択図】  図４
2012082537.tif 000002
【特許請求の範囲】
【請求項１】
ブラジャーのカップの中央に、断面略Ｕ字形で内側に乳首を収納できる大きさの乳首様の模擬乳首カップを、その底部を外面側に突出させ、開口を乳房側に向けた状態で一体に結合したことを特徴とする乳首付ブラジャー。
【発明の詳細な説明】
【技術分野】
【０００１】
この発明は、乳首付ブラジャー（以下単にブラジャーという）に係り、特に、見栄え及び装着感に優れたブラジャーに関する。
【背景技術】
【０００２】
ブラジャーは、周知のように、大人の女性の乳房を覆うカップの一対を備え、これらのカップによって乳房を持ち上げると共に、胸部に固定するものである。
【先行技術文献】
【特許文献】
【０００３】
【特許文献１】特開２００８−１９００９９
【特許文献２】特開２００６−１４４２０８
【特許文献３】特開２００２−３４８７０３
【特許文献４】特開平０８−３１１７０５
【特許文献５】特開平０６−２２８８０２
【発明の概要】
【発明が解決しようとする課題】
【０００４】
従来のブラジャーは、上記特許文献１及び２に記載されているように、また、図１に示すように、装着時乳首をカップで抑え込んでしまうため、乳房が平たく変形してしまい、外観が不自然で見栄えも悪い。
【０００５】
一方、過日発明者はブラジャーを装着しない（所謂ノーブラの）Ｔシャツ姿の女性に遭遇し、乳首で盛り上がった乳房に凄く感動した覚えがある。
習慣とは言え、乳首を抑え込んで乳房を不自然に変形させてしまう従来のブラジャーは未だ改良の余地がある。
【０００６】
他方、上記特許文献３〜５に記載されたブラジャーは、カップの外面頂部に乳首様の突起物を突設したものであるが、カップの内面で乳首を抑え込んでしまうことは従来のブラジャーと同様である。
【０００７】
そのため、乳幼児を抱える女性の場合、乳出する乳首をカップで押さえ込んでしまうことは、不自然であるばかりでなく生理的にも悪影響がある筈である。
【０００８】
そこで、この発明は、装着時乳首を押さえ込んでしまうことがなく、見栄えも装置着感にも優れたブラジャーを提供することを目的としている。
【課題を解決するための手段】
【０００９】
上記の目的を達成するため、請求項１に記載の発明は、ブラジャーのカップの中央に、断面略Ｕ字形で内側に乳首を収納できる大きさの乳首様の模擬乳首カップを、その底部を外面側に突出させ、開口を乳房側に開口させた状態で一体に結合したことを特徴とする。
【発明の効果】
【００１０】
上記のように構成された請求項１に記載の発明は、カップの内側に開口した模擬乳首カップに乳首を挿入した状態でブラジャーを装着する。
【００１１】
すると、図２に示すように、例えばブラウスの布地の内側で、ブラジャーの模擬乳首カップ（図示せず）があたかも乳首であるかのようにブラジャーから突出するので、見栄えが良く女性を魅力的に見せる。
【００１２】
また、乳首と模擬乳首カップとが係合しているので、ブラジャーを締め付けなくともブラジャーが乳房に沿って動くことが無く、また、乳首がカップに抑え込まれることもないので装着感に優れる、等種々の効果を奏する。
【図面の簡単な説明】
【００１３】
【図１】従来のブラジャーを着けた女性の外観斜視図。
【図２】この発明の一実施例によるブラジャーを着けた女性の外観を示す斜視図。
【図３】この発明の一実施例によるブラジャーの外観斜視図。
【図４】図３のブラジャーにカップの断面を付記して示すその拡大一部正面図。
【発明を実施するための形態】
【００１４】
ブラジャーのカップの中央に、断面略Ｕ字形で内側に乳首を収納できる大きさの乳首様の模擬乳首カップを、その底部を外面側に突出させ、開口を乳房側に開口させた状態で一体に結合する、という簡単な構成で、見栄え及び装着感に優れたブラジャーを提供できる。
【実施例１】
【００１５】
以下、この発明の一実施例を図３及び図４を参照して説明する。
図３及び図４において符号１はブラジャーの全体を、符号２はカップを、符号３は模擬乳首カップを夫々示す。
【００１６】
ブラジャーの構造は種々のものがあるが、図示の実施例のブラジャーの材質は、表裏の布地の間に薄い芯地を挟んだ少し厚いものであるとする。
【００１７】
但し、ブラジャーの材質が少し厚いものであることは、本発明の必須の構成ではない。
【００１８】
上記カップ２の外面中央には、図３に示すように、模擬乳首カップ３が突設されている。
【００１９】
或いは、このブラジャーを哺乳瓶に例えれば、ガラス製の哺乳瓶がカップ２に、プラスチック製の乳首が模擬乳首カップ３に相当し、哺乳瓶の開口部にプラスチック製の乳首を被せる要領で、ブラジャーのカップ底面に疑似乳首カップ３が開口を胸部側に向けて連設されている。
【００２０】
上記疑似乳首カップ３は、図４に示すように、断面略Ｕ字形で内側に乳首を収納できる大きさの筒体で、その開口をカップ内側に向けてカップの頂部に一体に接続されている。
【００２１】
カップ２と疑似乳首カップ３を結合するには、例えば、芯地を図４に示すようにプレス成型し、その内外面に布地を貼着する。
【００２２】
或いは、頂部中央に疑似乳首カップ３の内径と同径の穴を開けたカップ２に、
一端が閉じ、断面が略Ｕ字形の柔らかいプラスチック製の筒体の少なくとも外側を布地で被覆して構成した疑似乳首カップ３を、その開口をカップ２の穴に合わせて接着し、或いは縫着する。
【００２３】
上記のように構成されたカップ２の一対を紐等の結合部材を介して一体的に結合して図３に示すようなブラジャーを構成する。
【符号の説明】
【００２４】
１  ブラジャー
２  カップ
３  疑似乳首カップ
【図１】
2012082537.tif 000003
【図２】
2012082537.tif 000004
【図３】
2012082537.tif 000005
【図４】
2012082537.tif 000006
(57)【要約】【課題】引戸等の建具の反りで、引戸同士が接触したり、引戸が壁に接触するような場合に、簡単に戸車をずらしたり、戸車を取り外す時に建具の底部を傷めない戸車枠を提供する。【解決手段】戸車枠１の両端付近に従来の固定孔２を残したまま、戸車の回動方向を縦方向とした場合、横方向に移動可能なスライド孔３を追加して設け、その両端は、戸車枠１の取り外し時に器具を挿し込み易くする為に折曲部４を設けるように構成されている。【選択図】図１
2012082641.tif 000002
【特許請求の範囲】
【請求項１】
引戸等の建具の装着凹部に取付けられる戸車であって、建具の反り等で、建具同士の接触や壁などへの接触で、戸車を移動させ、接触を回避しなければならない場合に、戸車の回動方向を縦方向とした場合に、横方向に移動可能なスライド孔を設けており、釘やビスを打ち直さなくても、釘やビスを少し緩めるだけで、横方向への移動を可能とさせる事を特徴とする戸車枠
【請求項２】
前記の釘を少し緩める場合は、取り外す器具を挿し込み易くする為に、戸車枠の両端に折曲部を設けた事を特徴とする請求項１記載の戸車枠
【発明の詳細な説明】
【技術分野】
【０００１】
本発明は、引戸等の建具の反りで、引戸同士が接触したり、引戸が壁に接触するような時に、簡単に戸車枠を動かし、接触を回避する戸車枠に関するものである。
【背景技術】
【０００２】
従来、引戸の底に穴を掘り、装着するタイプの戸車枠では、引戸同士の接触や、引戸が
壁に接触するような問題が発生した場合、戸車枠を固定している釘又はビスを外し、
戸車の回動方向を縦方向とした場合、横方向（以下の記述も横方向とはこの方向を指す）に戸車枠をずらして固定しなおさなければならず、その時、今まで開いていた釘又はビス穴を埋めないと、すぐ近くの場所に釘又はビスで固定しようとしても、元の穴に戻ってしまうという問題があった。
【０００３】
また、固定されている戸車枠を外す時、ビスの場合は問題ないが、釘で固定している
場合、戸車枠の端にドライバー等を当て、金槌等で叩き、無理やりこじ開けて外さなければならず、引戸の底部を傷付けてしまうという問題があった。
【先行技術文献】
【特許文献】
【０００４】
【特許文献１】特許第３８９８９００号公報
【発明の概要】
【発明が解決しようとする課題】
【０００５】
本発明は、前記の従来の問題点に鑑みて発明したものであって、その課題とするところ
は、戸車枠を横方向に簡単に移動できる機能と、釘で固定された戸車枠を引戸の底部を
傷付けずに取り外す機能を備えた戸車枠を提供する事にある。
【課題を解決するための手段】
【０００６】
前記の課題を解決するために、本発明に係る戸車枠は、以下の構成を特徴としている。
【０００７】
本発明に係る戸車枠は、固定孔が横方向のスライド孔３で構成され、釘又はビス穴を開け直さないでも、少し緩めれば横方向に移動が可能となる。
【０００８】
本発明に係る戸車枠は、縦方向の両端が戸車の走行に支障をきたさない範囲で折曲した形状で構成され、金槌等で叩かなくても、簡単に隙間にドライバー等の戸車枠を取り外す為の器具を挿し込む事が可能となる。
【発明の効果】
【０００９】
本発明は、前記の戸車枠の横方向への移動の際の手間や、戸車枠の取替え時の引戸底部への傷付けや手間がかかるという煩わしさを解消できるものである。
【００１０】
本発明は、戸車枠の従来の固定孔２を残し、縦方向の両端付近に横方向のスライド孔３を追加している形状なので、従来の戸車より縦方向の長さが長くなっている。これは、何度も戸車を交換して、釘穴やビス穴、取り外す際のドライバー等での無理なこじ開け等で損傷した場所以外で固定できる効果がある。無論、従来の固定孔２を使用することもできる。
【００１１】
本発明は、戸車枠に装着する車輪の形状を選ばず、平型、U型、V型、脱輪防止型など現在市販されている形の戸車の車輪で同様の効果を生み、使用可能である。
【００１２】
さらに、従来の戸車枠と比較して、材料が従来より少し多く必要である事以外に製造
工程も変わらない事から、安価に供給できるという効果がある。
【図面の簡単な説明】
【００１３】
【図１】戸車枠の底面図
【図２】戸車枠の正面図
【図３】使用状態を示す説明図１
【図４】使用状態を示す説明図２
【図５】戸車枠の参考斜視図
【発明を実施するための形態】
【００１４】
以下、本発明を添付図面に示す実施形態に基づいて説明する。
【００１５】
図１は戸車枠の底面図、図２は戸車枠の正面図、図３は使用状態を示す説明図１、図４
は使用状態を示す説明図２、図５は戸車枠の参考斜視図である。
【００１６】
１は本願物品の戸車枠を示し、車輪固定孔５で車輪をかしめて装着した状態で、戸車として機能する。車輪の形状は平型、U型、V型、脱輪防止型などが使用可能である。
【００１７】
２は従来の戸車枠にも開けられていた固定孔を示し、この孔は一方が縦方向のスライド孔で形成されている場合もある。
【００１８】
３は横方向への移動を可能にしたスライド孔を示し、釘又はビスを緩めれば簡単に移動させる事ができる。
【００１９】
４は戸車枠を釘で固定した場合、取り外す時にドライバーなどの器具を挿し込み易くする為に戸車枠の両端を折曲させた形状を有する。
【００２０】
図３は釘又はビスの位置を変化させずに戸車枠だけを移動させた参考図である。
【００２１】
図４は折曲部４に挿し込む器具の状態を表したものである。
【００２２】
図５は車輪を装着した状態での戸車枠の斜視図である。
【符号の説明】
【００２３】
１  戸車枠
２  従来の固定孔
３  スライド孔
４  折曲部
５  車輪固定孔
【図１】
2012082641.tif 000003
【図２】
2012082641.tif 000004
【図３】
2012082641.tif 000005
【図４】
2012082641.tif 000006
【図５】
2012082641.tif 000007
(57)【要約】      （修正有）【課題】外気遮断による、熱射病対策、及び冷暖房の効率化を図り、特殊遮断熱材シートを用いた、壁紙を利用した建築物建築工法及びその建築物及びその壁紙を提供する。【解決手段】薄さと軽さその性能を維持しつつ、断熱性が優れている特殊遮断熱材シート１の特徴を利用し応用し、壁紙６にして、工事を容易化し、工期も極端に短縮し、改装も安易なものとして、工事費用も極端に下げることにより、熱射病対策や冷暖房費の効率化を図る。【選択図】図１
2012082612.tif 000002
【特許請求の範囲】
【請求項１】
特殊遮断熱材シートを用いる発明であって、当該特殊遮断熱材シートを壁紙に用いることを特徴とする発明。
【請求項２】
請求項１に記載の発明において、当該壁紙は、紙やビニールシートや布の生地やパネルに当該特殊遮断熱材シートを貼着した壁紙であることを特徴とする発明。
【請求項３】
請求項１及び請求項２に記載の発明において、当該壁紙は裏面に粘着テープを貼着または粘着剤を塗布した壁紙を提供することを特徴とする発明。
【請求項４】
請求項３に記載の発明において、当該壁紙に裏面の粘着テープを貼着または粘着剤を塗布した面に粘着剤保護シートを貼着したことを特徴とする壁紙を提供することを特徴とする発明。
【請求項５】
請求項１ないし請求項４のいずれか一項に記載の発明であって、当該特殊遮断熱材シートがサーモプロテクト（商品名、製造元榮建設）であることを特徴とする壁紙を提供することを特徴とする発明。
【請求項６】
請求項１ないし請求項４のいずれか一項に記載の発明による壁紙を、壁や天井や床やドアやブラインドに貼着することを特徴とする建築工法を提供することを特徴とする発明。
【請求項７】
請求項６に記載の発明である建築工法により建築された建築物を提供することを特徴とする発明。
【発明の詳細な説明】
【技術分野】
【０００１】
本発明は、外気遮断による、熱射病対策、及び冷暖房の効率化を図った、商品名サーモプロテクト（製造元榮建設）等遮断熱材シートを用いた、壁紙を利用した建築物建築工法及びその建築物及びその壁紙に関する。
【背景技術】
【０００２】
従来の建設用遮断熱材は薄くても８５ｍｍ程の厚みが必要だった。しかし、改良が進み、薄さ０．２ｍｍ程度でも同等の断熱効果を発揮する製品が開発された。商品名サーモプロテクト（製造元榮建設）である。他にも色々な断熱材はあったが、ウレタンや発泡スチロール等では厚くて用途やデザインの自由度が制限されていた。
【０００３】
この遮断熱材は、夏は外からの熱線を反射し、冬は外から冷線を反射するという性質を持ち、反射率は、97％というシート状
の薄い素材である。断熱性能にも優れている。
【先行技術文献】
【非特許文献】
【０００４】
【非特許文献１】商品名サーモプロテクト（製造元榮建設）
【発明の概要】
【発明が解決しようとする課題】
【０００５】
この遮断熱材シートは建設会社で開発されたものであるが、壁に埋め込んで使用するには、大がかりな改築が必要であり、工事費がかかり、なかなか、改築をしようという意思が働かず、熱中症対策が普及せず、冷暖房費の効率化が図りづらいという問題があった。
【０００６】
そこでこの改善策として、このすぐれた薄さと軽さその性能を維持しつつ、断熱性が優れているという特徴を利用し応用し、壁紙にして、工事を容易化し、工期も極端に短縮し、改装も安易なものとして、工事費用も極端に下げることにより、熱射病対策や冷暖房費の効率化を図れるようにすることを目的とする。
【課題を解決するための手段】
【０００７】
本発明は、[請求項１]  特殊遮断熱材シートを用いる発明であって、当該特殊遮断熱材シートを壁紙に用いることを特徴とする。
【０００８】
[請求項２]  請求項１に記載の発明において、当該壁紙は、紙やビニールシートや布の生地やパネルに当該特殊遮断熱材シートを貼着した壁紙であることを特徴とする。
【０００９】
[請求項３]  請求項１及び請求項２に記載の発明において、当該壁紙は裏面に粘着テープを貼着または粘着剤を塗布した壁紙を提供することを特徴とする
【００１０】
[請求項４]  請求項３に記載の発明において、当該壁紙に裏面の粘着テープを貼着または粘着剤を塗布した面に粘着剤保護シートを貼着したことを特徴とする壁紙を提供することを特徴とする。
【００１１】
[請求項５]  請求項１ないし請求項４のいずれか一項に記載の発明であって、当該特殊遮断熱材シートがサーモプロテクト（商品名、製造元榮建設）であることを特徴とする壁紙を提供することを特徴とする。
【００１２】
[請求項６]  請求項１ないし請求項４のいずれか一項に記載の発明による壁紙を、壁や天井や床やドアやブラインドに貼着することを特徴とする建築工法を提供することを特徴とする。
【００１３】
[請求項７]  請求項６に記載の発明である建築工法により建築された建築物を提供することを特徴とする。
【発明の効果】
【００１４】
本発明は、容易に特殊遮断熱材を建築物に取り付けられることにより、熱中症対策を普及させ、冷暖房費の削減をはかることができる。
【図面の簡単な説明】
【００１５】
【図１】図１は当該特殊遮断熱材シートを利用した壁紙と、建築工法の実施方法を説明した図である。（実施例１）
【発明を実施するための形態】
【００１６】
以下、当該特殊遮断熱材シートを利用した壁紙と、建築工法の実施例を説明する。
【実施例１】
【００１７】
図１（ａ）は、当該壁紙の構成図である。
当該特殊断熱材シート１（商品名サーモプロテクト（榮建設））に紙やビニールシートや布などの生地またはパネル２を貼着し、          その反対面に粘着テープまたは粘着剤３を貼着または塗布してできる壁紙である。
もちろん粘着面は汚れたり、他に付着したり、粘着力が弱くなるので、携帯や搬送や保管のために、作業の時はがれやすい保護シート４を貼りつけておいてもよい。
以上のような構成で壁紙として利用する。
【００１８】
図１（ｂ）は、当該上記構成による壁紙６を利用した工法である。
従来の壁をはがして改築するという大変な作業を省略し、現場で貼りつけるだけで簡易に遮断熱材を壁や天井や床やドアやブラインドなどに設置でき、熱中症対策や冷暖房費の削減を図ることができる。
【産業上の利用可能性】
【００１９】
建築工程を極端に短縮することで、簡易に遮断熱材を設置でき、改築費用をおさえられることにより、より住人が工事を依頼しやすくなり、熱中症対策や冷暖房の効率化を普及しやすく、建築業界、建材業界などの産業での利用可能性がある。
【符号の説明】
【００２０】
１    特殊遮断熱材シート（商品名サーモプロテクト（製造元榮建設））
２    生地またはパネル
３    粘着テープまたは粘着剤
４    保護シート
５    躯体壁
６    壁紙
【図１】
2012082612.tif 000003
(57)【要約】【課題】強風，突風時にテントが空中に吹き上がらない強力なアンカーを提供する。【解決手段】テント支柱受台に複数の斜めの貫通穴を設け，杭を斜めに打込む構造とした。【選択図】図１
2012082673.tif 000002
【特許請求の範囲】
【請求項１】
複数の斜めの貫通穴を設けたテント支柱受台に頭部にネジ部を有した杭を打込むテント用アンカー
【発明の詳細な説明】
【技術分野】
【０００１】  本発明はテントを引き留めるアンカーに関するものである。
【背景技術】
【０００２】  従来は市販の杭を打ち込みテントとの間をロープ等で繋いでいた。
【発明の開示】
【発明が解決しようとする課題】
【０００３】  従来技術には次のような欠点があった。
（イ）強風，突風時に杭が抜けてテントが空中に吹き上げられ，人身事故に至るまでの事故が発生している。
（ロ）このような事故を回避するためには長大な杭を土中深く打ち込む必要があり，打ち込み作業にも限界を生じ，特に撤去時の杭引き抜き作業には困難を呈した。
【課題を解決するための手段】
【０００４】（イ）テント支柱の受台に複数の斜めの貫通穴を設けた。
（ロ）杭の頭部にネジ部を設けた。
【発明の効果】
【０００５】（イ）従来の杭の引揚力は杭と土との粘着力で決まり，この粘着力以上の引揚力が作用すると杭は抜けてしまうが，本発明の引揚力は図３に示すように引揚荷重Ｆが作用すると杭に垂直抗力Ｗが発生し，これによる土壌破壊に至るまで杭は抜けないので，従来の杭に比べ相当大きな引揚力を発揮する。
（ロ）撤去時，杭頭部のナットを若干回転させると杭が抜ける方向に微移動し，杭と土の粘着状態が破壊されるので杭の抜取りが非常に容易となる。
（ハ）従来のようなロープが一切不要となるのでテント設置作業時間の短縮となり，また，美的の面からも改善される。
【図面の簡単な説明】
【０００６】
【図１】本発明の側面図
【図２】従来品の杭
【図３】本発明の説明図
【発明を実施するための形態】
【０００７】  以下，本発明の実施について説明する。
斜めの貫通穴２を複数個設けたテント支柱受台１にテント支柱４を固定し，斜めの貫通穴２に頭部にネジ部を設けたナット付き杭３を打込む。杭はナットがテント支柱受台に突き当るまで打込む。撤去時はナットを若干回転させてから杭を抜取る。
【符号の説明】
【０００８】  １  テントの支柱受台
２  斜めの貫通穴
３  頭部にネジ部を設けた杭
４  テント支柱
５  従来品杭
【図１】
2012082673.tif 000003
【図２】
2012082673.tif 000004
【図３】
2012082673.tif 000005
(57)【要約】【課題】優れた免疫活性化作用を有する飼料、食品、化粧品、農業用資材及び医薬品を提供すること。【解決手段】パントエア・アグロメランス由来のＬＰＳ及びキノコ又は酵母由来のβグルカンが配合されている免疫活性化剤及び該免疫活性化剤が配合されている飼料、食品、化粧品、農業用資材又は医薬品。【選択図】図１
2012082156.tif 000002
【特許請求の範囲】
【請求項１】
ＬＰＳ（リポ多糖）及びβグルカンが配合されていることを特徴とする免疫活性化剤。
【請求項２】
前記ＬＰＳは、グラム陰性細菌由来であることを特徴とする免疫活性化剤。
【請求項３】
前記グラム陰性細菌は、パントエア・アグロメランスであることを特徴とする請求項２記載の免疫活性化剤。
【請求項４】
請求項１乃至３いずれかに記載の免疫活性化剤が配合されていることを特徴とする免疫活性化剤配合物。
【請求項５】
前記免疫活性化剤配合物は、飼料、食品、化粧品、農業用資材又は医薬品であることを特徴とする請求項４記載の免疫活性化剤配合物。
【発明の詳細な説明】
【技術分野】
【０００１】
本発明は、動植物の免疫機能を高め、病気の予防・改善を行うのに好適な免疫活性化剤及び該免疫活性化剤が配合されている免疫活性化剤配合物に関する。
【背景技術】
【０００２】
現代社会において、若年層ではアレルギー、中高年ではメタボリックシンドローム、高齢層では癌や感染症、アルツハイマーなどの罹患率が高くなっている。これら疾患の発症には、直接的・間接的、あるいは習慣的・遺伝的要因があるが、共通して言えることは、ストレスや加齢によって免疫力が落ちた時に発症や進行が加速されることである。したがって、免疫力を活性化する技術は、環境が変化し、食生活が欧米化し、運動量が低下している現代社会において、「健康で長生き」を支えるために必要とされる。
【０００３】
免疫活性化素材としては、ラクトフェリンなど蛋白性の因子もあるが、乳酸菌を主体とした発酵食品、キノコ類、酵母等、微生物が主役になっているものが圧倒的に多い。実は、動植物の免疫系は微生物など環境中の外来異物が自然な形で体内に入ることで活性化される。活性化の仕組みは「自然免疫」と呼ばれ、この１０年の間に、分子レベルでの細胞内シグナルトランスダクション経路の詳細が明らかになってきた。
【０００４】
さて、酵母やキノコの免疫賦活の有効成分はβグルカンである。βグルカンは、グルコースがβ１，３結合あるいはβ１，６結合で連なったものである。分子量は加水分解しないものでは数百万ダルトンであり、水溶物は高い粘性を持つ。一方、グラム陰性細菌由来のＬＰＳ（リポ多糖）も自然免疫を活性化する（例えば、特許文献１参照。）。ＬＰＳは脂質にオリゴ糖ユニットが連なった構造で、オリゴ糖ユニットの結合数によって、分子量は５千から数万ダルトンのラダー分布を見せる。ちなみにパントエア菌のＬＰＳは、分子量５０００と分子量４５０００付近にピークを持つ分子量分布を示す。
【０００５】
免疫活性化作用を免疫担当細胞であるマクロファージの活性化によって評価すると、ＬＰＳがβグルカンに比較して優位性が高い。比活性が高いことは、微量で有効であることを意味する。
【０００６】
例えば動物用飼料として与える場合、ＬＰＳでは１０μｇ〜２０μｇ／ｋｇ体重という微量で有効性が見られるが、βグルカンでは５０〜２００ｍｇ／ｋｇ体重で用いられる。
【先行技術文献】
【特許文献】
【０００７】
【特許文献１】国際公開第２００５／０３０９３８号
【発明の概要】
【発明が解決しようとする課題】
【０００８】
ところで、βグルカンは、マクロファージなど自然免疫担当細胞の細胞膜上の外来異物レセプターデクチン１に結合することで、免疫担当細胞を活性化する。一方ＬＰＳは、ＴＬＲ４と呼ばれる別のレセプターに結合することで、やはり免疫担当細胞を活性化する。両者は別々のレセプターに結合することより、両者を同時に用いれば、免疫担当細胞の活性化は相加的に上がることが予想される。しかし、本発明者らによって、ＬＰＳとβグルカンはマクロファージの活性化について相乗効果を示すことが明らかとなった。
【０００９】
本発明は、優れた免疫活性化作用を有する免疫活性化剤及び該免疫活性化剤が配合されている免疫活性化剤配合物を提供することを目的とする。
【課題を解決するための手段】
【００１０】
本発明の免疫活性化剤は、ＬＰＳ及びβグルカンが配合されていることを特徴とする。
【発明の効果】
【００１１】
本発明によれば、飼料、食品、化粧品、農業用資材及び医薬品などに優れた免疫活性化作用を付与することができる。
【図面の簡単な説明】
【００１２】
【図１】マクロファージ活性化におけるβグルカンと糖脂質の相乗効果を示す図である。
【発明を実施するための形態】
【００１３】
以下、添付図面を参照しながら本発明を実施するための形態について詳細に説明する。
【実施例１】
【００１４】
ＬＰＳ（パントエア・アグロメランス由来、特許文献１参照）とβグルカン（パン酵母由来）のマクロファージ活性化能をマクロファージからの一酸化窒素（ＮＯ）誘導を指標として比較した。
【００１５】
マクロファージ細胞として、ラットの肺胞マクロファージ細胞株ＮＲ８３８３を用いた。
【００１６】
パン酵母抽出物の粉末品を５０ｍｇ秤量し、生理食塩水にて５０ｍｇ／ｍｌのパン酵母抽出物懸濁液を調製した。この懸濁液に、酸アルカリ処理したガラスビーズを約５００ｍｇ加え、ボルテックスミキサーを用いて攪拌（１分間の攪拌を２０回程度）し、パン酵母抽出物の凝集塊を粉砕したものを調製した。具体的には、凝集塊の粉砕の程度は顕微鏡観察（４００倍）により確認した。顕微鏡観察により、凝集塊が認められず、約５〜１０ミクロン程度のパン酵母の均一懸濁液になるまで粉砕した。これを１分間放置し、上清を粉砕処理したパン酵母抽出物懸濁液原液とした。
【００１７】
ＬＰＳは、パントエア・アグロメランスより精製したものを用いた。生理食塩水にて希釈した。
【００１８】
ＮＯの量は、グリース試薬にて測定した。３％（ｗ／ｖ）スルファニルアミドを含む７．５％リン酸水溶液（Ａ液）と、０．１５％（ｗ／ｖ）ナフチルエチレンジアミン水溶液（Ｂ液）をそれぞれ調製し、Ａ液を１に対してＢ液を２の割合で混合して用いた。
【００１９】
８×１０５個／ｍｌに細胞数を調整したＮＲ８３８３細胞を１００μｌずつ９６穴平底プレートの各ウエルに加えた。３７℃５％ＣＯ２のインキュベータにて２時間前培養を行った。βグルカンとＬＰＳの希釈溶液を１００μｌずつウエルに加えた。添加後、プレートシェーカーを用いて１０秒間攪拌した後、３７℃５％ＣＯ２のインキュベータにて、２４時間培養を行った。培養終了後、各ウエルの培養上清中の亜硝酸（Ｎｉｔｒｉｔｅ）濃度をグリース試薬にて測定した。
【００２０】
図１に示すように、マクロファージからのＮＯの誘導（ここでは亜硝酸として検出）は、βグルカン又はＬＰＳ単独よりも組み合わせることにより、相加を著しく上回る相乗効果が得られた。
【００２１】
なお、本発明は上記実施例に限定されるものではない。
【図１】
2012082156.tif 000003
(57)【要約】【課題】従来のＣＤ及びＤＶＤケースよりＣＤ及びＤＶＤを取り出すとき、取り出しやすいタイプのケースではＣＤ及びＤＶＤの脱落の可能性が高く、逆に、しっかりした収納力があるケースではＣＤ及びＤＶＤが取り出しにくく記録面を手で汚してしまう可能性がある。この２つの問題点を同時に解消するために取り出し口に平らなゴムを取り付けたＣＤ及びＤＶＤケースを提供します。【解決手段】ＣＤ及びＤＶＤケース１の開口部４のＣＤ及びＤＶＤの取り出し口３側に平らなゴム２を、しっかりと接着し一定の収納力を得るとともにゴムの伸縮性を利用し簡単にＣＤ及びＤＶＤを取り出せるようにする。【選択図】図２
2012082010.tif 000002
【特許請求の範囲】
【請求項１】
本発明は、ＣＤ及びＤＶＤケースの取り出し口側に平らなゴムを取り付け、ゴムの伸縮性を利用することによりＣＤ及びＤＶＤの記録面を手で汚すことなく簡単に取り出すことができ、しかも収納時はＣＤ及びＤＶＤを、しっかり収納することもできる。
【発明の詳細な説明】
【技術分野】
【０００１】本発明は、ＣＤ及びＤＶＤケース取り出し口に平たいゴムを取り付け、ゴムの伸縮性を利用して、ＣＤ及びＤＶＤを簡単に取り出せるようにしたものである。
【背景技術】
【０００２】従来からある２つのタイプのケースにおいて図６のタイプは図７に示すように簡単に取り出せる半面、図８のように脱落しやすいといった欠点があり、もう１つの図９のタイプは図１１のように脱落しにくいが、図１０のように取り出しにくいといった欠点があり、脱落しにくくて、しかも取り出しやすいといったＣＤ及びＤＶＤケースがなかった。
【先行技術文献】
【特許文献】
【０００３】
【発明の概要】
【発明が解決しようとする課題】
【０００４】従来からある２つのタイプのケースにおいて図６のように簡単に取り出せるタイプは、ＣＤ及びＤＶＤをしっかり収納する収納力に乏しく、さかさまにしたり、振り回わしたりしたときＣＤ及びＤＶＤが外に飛び出してしまう可能性があった。
一方図９のタイプでは、ある程度の収納力はあるもののＣＤ及びＤＶＤを取り出すときに図１０に示すようにＣＤ及びＤＶＤの中心の穴の部分がケースの外に露出しない為に、ＣＤ及びＤＶＤの記録部分に指が接触し、うまく取り出せないといった欠点があった。本発明はこの課題を解消する為になされたものである。
【課題を解決するための手段】
【０００５】図１のＣＤ及びＤＶＤ取り出し口３側に平らなゴム２を取り付けることにより図３のように収納されたＣＤ及びＤＶＤを図４のようにＣＤ及びＤＶＤの中心の穴に指を入れ取り出すと平らなゴム２がのびてケースの外までＣＤ及びＤＶＤの中心の穴の部分が露出します。指を離すと図５のように、のびていた平らなゴム２は元に戻りＣＤ及びＤＶＤのみがケースの外に出た状態となり簡単に取り出せます。  さらに図３のようにＣＤ及びＤＶＤが収納されているときは図９のタイプと同様にしっかりと収納された状態になっています。
【発明の効果】
【０００６】図１に示すようにＣＤ及びＤＶＤ取り出し口３側に平らなゴム２を取り付けることによりＣＤ及びＤＶＤをしっかり収納することもでき、しかも、平らなゴム２の伸縮性を利用することによりＣＤ及びＤＶＤの記録面を指で汚すことなく簡単にしかもすばやく取り出すことが出来る。
【図面の簡単な説明】
【０００７】
【図１】本発明のＣＤ及びＤＶＤケースの斜視図である。
【図２】本発明のＣＤ及びＤＶＤケースの分解斜視図である。
【図３】本発明のＣＤ及びＤＶＤケースにＣＤ及びＤＶＤを収納した状態の斜視図である。
【図４】本発明のＣＤ及びＤＶＤケースよりＣＤ及びＤＶＤをケースの外に取り出している状態の斜視図である。
【図５】本発明のＣＤ及びＤＶＤケースよりＣＤ及びＤＶＤがケースの外に取り出された状態の斜視図である。
【図６】従来からあるＣＤ及びＤＶＤケースで取り出しやすいが脱落しやすい欠点のあるタイプの斜視図である。
【図７】図６に示したタイプのＣＤ及びＤＶＤケースからＣＤ及びＤＶＤを取り出している状態の斜視図である。
【図８】図６に示したタイプのＣＤ及びＤＶＤケースからＣＤ及びＤＶＤが脱落しかかっている状態の斜視図である。
【図９】従来からあるＣＤ及びＤＶＤケースで脱落しにくいが取り出しにくい欠点のあるタイプの斜視図である。
【図１０】図９に示したタイプのＣＤ及びＤＶＤケースからＣＤ及びＤＶＤを取り出している状態の斜視図である。
【図１１】図９に示したタイプのＣＤ及びＤＶＤケース内でＣＤ及びＤＶＤが少し動いているが、なんとかケース内に納まっている状態の斜視図である。
【発明を実施するための形態】
【０００８】以下、本発明の実施の形態について図面を参照しながら説明する。
図２において、ＣＤ及びＤＶＤケース１の片面はＣＤ及びＤＶＤを取り出すための開口部４が設けられている。
この開口部４のＣＤ及びＤＶＤ取り出し口３側の接着ポイント５及び６の部分へ平らなゴム２をしっかりと接着する。
【符号の説明】
【０００９】１  ＣＤ及びＤＶＤケース
２  平らなゴム
３  ＣＤ及びＤＶＤ取り出し口
４  開口部
５  接着ポイント
６  接着ポイント
【図１】
2012082010.tif 000003
【図２】
2012082010.tif 000004
【図３】
2012082010.tif 000005
【図４】
2012082010.tif 000006
【図５】
2012082010.tif 000007
【図６】
2012082010.tif 000008
【図７】
2012082010.tif 000009
【図８】
2012082010.tif 000010
【図９】
2012082010.tif 000011
【図１０】
2012082010.tif 000012
【図１１】
2012082010.tif 000013
(57)【要約】【課題】  ケース内部を複数箇所に区分したことで、角ハンガー同士の洗濯ピンチのからみ合いを無くし、開閉式の蓋を設けたことで角ハンガーの劣化、ほこり等から護ることができる、洗濯物干し用角ハンガー収納ケースを提供する。【解決手段】  ケース内部の前面部と後面部の対向的に、複数箇所の溝部を設け、溝部に抜き−差しが行えるように仕切り板を設ける。仕切り板が、抜き−差しを行えることで、厚みのある角ハンガー等の収納にも、必要な広さのスペースを自由に利用することができる。ケース上面には、後面部の上辺に、蝶つがい部で固定された開閉式の蓋を設け、蓋の先端中央部に、開閉時に指を入れる蓋開け穴を設ける。両側面部中央の上部の手さげ止め部に、手さげ部を取り付け、手さげ部中央に把持部を設ける。ケースの底面は、収納された角ハンガーの重さに充分耐えられる強度で安定した構造に形成することを特徴とする洗濯物干し用角ハンガー収納ケース。【選択図】図１
2012082006.tif 000002
【特許請求の範囲】
【請求項１】
ケース内部の前面部と後面部の対向的に複数箇所の溝部を設け、溝部に抜き−差しが行えるように仕切り板を設け、仕切り板が抜き−差しを行えることで、厚みのある角ハンガー等の収納にも必要な広さのスペースを自由に利用することができ、ケースの上面には、後面部の上辺に蝶つがい部で固定された開閉式の蓋を設け、蓋の先端中央部に開閉時に指を入れる蓋開き穴を設け、両側面部中央の上部の手さげ止め部に手さげ部を取り付け、手さげ部中央に把持部を設け、ケースの底面部は、収納された角ハンガーの重さに充分耐えられる強度で安定した構造に形成することを特徴とする洗濯物干し用角ハンガー収納ケース。
【発明の詳細な説明】
【技術分野】
【０００１】  本発明は、角ハンガー同士の洗濯ピンチのからまり合いを無くし角ハンガーの劣化を防ぎ、ほこり等を護る収納ケースに関するものである。
【背景技術】
【０００２】従来、角型ハンガー収納ケースがあった。
【先行技術文献】
【０００３】
【特許文献１】実用新案登録第３１２９５６１号
【発明の概要】
【発明が解決しょうとする課題】
【０００４】そのために、次のような問題点があった。
（イ）角ハンガー同士の洗濯ピンチのからまりは防げるが、日々、使用している間にもケースの中にほこり等が入り不衛生的でもあった、そこで合理的に解決できないか大変難しかった。
（ロ）角ハンガーを使用していない時間帯は、屋外やベランダ等に放置されて劣化が進み、部屋の片隅等に重ねて放置されて、邪魔になることが多々みられるという、難点があった。
本発明はこれらの問題点を解決するためになされたものである。
【課題を解決するための手段】
【０００５】  ケース内部の前面部と後面部に対向的に複数箇所の溝部を設け、溝部に抜き−差しが行えるように仕切り板を設ける。仕切り板が抜き−差しを行えることで、厚みのある角ハンガー等の収納にも、必要な広さのスペースを自由に利用することができる。ケースの上面には、後面部の上辺に蝶つがい部で、固定された開閉式の蓋を設け、蓋の先端中央部に開閉時に指を入れる蓋開け穴を設ける。両側面部中央の上部の手さげ止め部に、手さげ部を取り付け、手さげ部中央に把持部を設ける。ケースの底面部は、収納された角ハンガーの重さに充分耐えられる強度で安定した構造に形成する。
【発明の効果】
【０００６】  角ハンガー同士の洗濯ピンチのからみ合いが無くなり、ケースに蓋を設けたことで角ハンガーの劣化を防ぎ、ほこり等からも護ることができる。手さげ部を設けたことで屋外での物干しの場合でもケースごと持ち運ぶことが可能であり、大変衛生的で合理的に角ハンガーを収納できる。
【図面の簡単な説明】
【０００７】
【図１】  本発明の蓋を開けた状態を示す斜視図
【図２】  本発明の蓋を閉めた状態を示す斜視図
【図３】  本発明の仕切り板を抜く時の状態を示す斜視図
【発明を実施するための形態】
【０００８】以下、本発明の実施の形態について説明する。
（イ）ケース（１３）内部の前面部（１０）と後面部（４）に対向的に複数箇所の溝部（５）を設け、溝部（５）に抜き−差しができるように仕切り板（６）を設ける。仕切り板（６）が抜き−差しを行えることで、厚みのある角ハンガー等の収納に必要な広さのスペースを自由に利用することができる。
（ロ）ケース（１３）の上面には、後面部（４）の上辺に蝶つがい部（３）で固定された開閉式の蓋（２）を設け、蓋の先端中央部に、開閉時に指を入れる蓋開け穴（１）を設ける。
（ハ）両側面部（１２）中央の上部の手さげ止め部（７）に手さげ部（８）を取り付け、手下げ部（８）中央に把持部（９）を設ける。
（ニ）ケース（１３）の底面部（１１）は、収納された角ハンガーの重さに充分耐えられる強度で安定した構造に形成する。
本発明は以上のような構成で、これを使用する時は、蓋（２）を開け、半分に折り畳んだ角ハンガーを、仕切り板（６）で区分けされたケース（１３）の中に上から入れ、角ハンガー同士の洗濯ピンチがからまることなく整頓され収納できる。ケースを移動したい時は、把持部（９）をしっかりと持ちあげ、ケース（１３）ごと簡単に持ち運ぶことができる。角ハンガーを出し入れしない時は必ず蓋（２）をしておくことで劣化を防ぎ、ほこり等から護ることができる。
【符号の説明】
【０００９】    １    蓋開け穴
２    蓋
３    蝶つがい部
４    後面部
５    溝部
６    仕切り板
７    手さげ止め部
８    手さげ部
９    把持部
１０    前面部
１１    底面部
１２    側面部
１３    ケース
【図１】
2012082006.tif 000003
【図２】
2012082006.tif 000004
【図３】
2012082006.tif 000005
(57)【要約】      （修正有）【課題】缶コーヒーなどの缶はそのふたを開けてしまうとその場で飲んでしまわなければならないことが多かった。そこで、缶のふたを開けた後も持ち運んで何度でも飲むことが出来る製品を提供する。【解決手段】缶の飲み口の丸い部分を上下に挟み込めるような大きさ、構造としたフタであって、上の部分はペットボトルのふたの部分１を組み合わせたものであり、ペットボトルのふたのような形のふたが取り付けられるようにする。【選択図】図１
2012082007.tif 000002
【特許請求の範囲】
【請求項１】
缶の飲み口の大きさに合わせたふたの上にペットボトルの飲み口を組み合わせた製品
【発明の詳細な説明】
【技術分野】
【０００１】    この発明は缶のふたを開けた後も持ち運んで何度でも飲むことが出来る製品である。
【背景技術】
【０００２】    従来、缶のふたを開けてしまうと持ち運ぶときにこぼれることがあった。
【発明の開示】
【発明が解決しようとする課題】
【０００３】    缶のふたを開けてしまうとその場で飲んでしまわなければならないことが多かった。
【課題を解決するための手段】
【０００４】    この課題を解決するために缶コーヒーなどの飲み口に、ペットボトルのふたの部分の形をしたふたをつけるようにする。
【発明の効果】
【０００５】    これにより、缶コーヒーなどが一度に飲みきれなくても何度も好きな時に飲むことができる。
【発明を実施するための最良の形態】
【０００６】    下の部分は缶の飲み口の丸い部分を上下に挟み込めるような大きさのフタを、上の部分はペットボトルのふたの部分を組み合わせたもの
【図面の簡単な説明】
【０００７】
【図１】  本発明の斜視図である。
【図２】  本発明の側面図である。
【符号の説明】
【０００８】  １  ペットボトルのふた
２  缶を挟むところ
【図１】
2012082007.tif 000003
【図２】
2012082007.tif 000004
(57)【要約】【課題】従来、風力発電は自然しだいで無風の場合、機能しなかった。【解決手段】車両通過の風圧を動力にかえ発電する事により、効率良く安定供給し、更に自然発電機器を追加した場合、より効率を上げられる本発明の風圧力発電機を設置することにより課題を解決とする。【選択図】図２
2012082812.tif 000002
【特許請求の範囲】
【請求項１】
車両通過の風圧を動力に変え発電し効率良く安定供給し更に自然発電機器を追加した場合に効率を上げられる風圧力発電機。
【発明の詳細な説明】
【発明の詳細な説明】
【技術分野】
【０００１】本発明は、風力発電設置に関する。
【背景技術】
【０００２】従来、風力発電は自然しだいで無風の場合、機能しなかった。
【発明が解決しようとする課題】
【０００３】近年、温暖化ＣＯ２排出の問題が世界規模での課題になり広く衆知されエコに関心が集り、自然からのエネルギー供給に関しても太陽光発電、風力発電など普及されつつあるが、ともに自然相手の為、ばらつきがあり風力発電においては障害物無い広々とした風通しの良い場所に大型の風車を設置しているのが一般に知る所だが、設置場所を選び高額の費用が掛り無風では機能しない為、安定供給は望めないものであるが、人工物とを合わせる事により効率良く本発明にて安定供給を提供することを課題とする。
【課題を解決するための手段】
【０００４】上記課題を解決する手段として、現在において小型風力発電装置も高効率の開発が進んでいるので、それらを複数使い大型風力発電装置なみの電力を安定した発電供給を得ようとするものである。
【０００５】上記において、小型風力発電装置をただ並べても高効率発電は望めなく、解決する手段として幹線道路、高速道、鉄道など頻繁に車両が通過する脇に設置する事により、車両通過による風圧を常時及び定期的に受け安定発電を可能とさせる事を目的とする。
【図面の簡単な説明】
【０００６】
【図１】本発明の高速道設置図
【図２】本発明の風圧力発電機本体と附帯機器の斜視図
【発明を実施するための形態】
【０００７】本発明の実施の形態について図面を参照し詳細説明する。図１は高速道設置図であり風圧力発電機本体（１）を中央分離帯及び側道に連ね設置した場合を示した例である。
【０００８】上記にて設置する風圧力発電機本体（１）にある風車（２）形状は図示に特定したものでは無く、風圧、風向により最良のものをもちいれば良く、設置高さも風圧を最も受け易い高さに設置し、風車（２）により発電機（３）を可動させ発電した電力を蓄電器（４）に送り、使用電力に安定供給する。
【０００９】本体の基本的構造はこれで使用できるが、図２の風圧力発電機本体と附帯機器の斜視図にて示す、風圧力発電機本体（１）上部にソーラパネル（５）や自然風小型発電機（６）など追加附帯する事により更に発電容量を上げることができる。
【００１０】次ぎに鉄道設置の説明に移るが、高速道と同様であり線路脇に設置すれば良いが、断続的な列車通過のため頻繁に行き交う都市部への設置が有効である。（図示せず）
【発明の効果】
【００１１】本発明の風圧力発電機設置の形態を実施した場合、今まで見過ごし無駄にしていた車両通過による風圧を電力に変え、効率良く安定供給し電力の節約、ＣＯ２削減、地球温暖化防止にも貢献する事となり、広く普及され社会貢献できると思われる。
【符号の説明】
【００１２】１      風圧力発電機本体
２      風車
３      発電機
４      蓄電器
５      ソーラパネル
６      自然風小型発電機
【図１】
2012082812.tif 000003
【図２】
2012082812.tif 000004